(57)【特許請求の範囲】
【請求項１】
所定長さの中空絶縁体と、該中空絶縁体の内周面に固着された複数本の導電部材とから成るコードスイッチを内包することができる所定長さの円筒状のゴムカバーにおいて、該ゴムカバーの内周面にはその円周方向に沿って所定間隔をおいて前記コードスイッチの外周面を部分支持できる複数の突起が設けられ、該突起と前記ゴムカバー内に内包されるコードスイッチとの接触面積の合計が該コードスイッチの外周面積の０．５〜２０％であることを特徴とするゴムカバー。
【請求項２】
前記突起が、半球突起、四角状突起、角錐状突起、円柱状突起の中から選ばれた１種であることを特徴とする請求項１記載のゴムカバー。
【請求項３】
前記突起が、長手方向に沿って直線状若しくは螺旋状に設けられたものであることを特徴とする請求項１記載のゴムカバー。
【請求項４】
所定長さの中空絶縁体と、該中空絶縁体の内周面に固着された複数本の導電部材とから成るコードスイッチと、該コードスイッチを内包することができる所定長さの円筒状のゴムカバーとを有するスイッチ部材において、該ゴムカバーの内周面にはその円周方向に沿って所定間隔をおいて前記コードスイッチの外周面を部分支持できる複数の突起が設けられ、該突起と前記コードスイッチとの接触面積の合計が、前記コードスイッチの外周面積の０．５〜２０％であることを特徴とするスイッチ部材。
【発明の詳細な説明】
【０００１】
【発明の属する技術分野】
本発明はゴムカバー及びスイッチ部材に関するものである。更に詳述すれば本発明はコードスイッチ内包用ゴムカバー及びそのゴムカバーにコードスイッチを内包して成るスイッチ部材に関するものである。
【０００２】
【従来の技術】
近年のビル、店舗、ガレージ、自動車等のドア、窓、シャッタ等の開閉装置においては、自動開閉機能付開閉装置が普及してきている。
【０００３】
このような自動開閉機能付開閉装置においては人の挟まれ事故を皆無にすることが強く要求されている。そこで自動開閉機能付開閉装置においては人の挟まれ事故を防止するためにその開閉部に開閉スイッチ類を取付けることが行われている。
【０００４】
このような自動開閉機能付開閉装置用の開閉スイッチ類の一つとしてコードスイッチがある。
【０００５】
図３はコードスイッチを示した断面説明図である。
【０００６】
図３において１はコードスイッチ、２はコード絶縁体、３は導電部材、４はコード空隙部である。
【０００７】
ここにおいてコード絶縁体２はゴム弾性体等であり、また導電部材３は電極導電線である。そしてコード空隙部４は対向する導電部材３を気体絶縁用空隙となっている。つまりコードスイッチ１はコード絶縁体２の内面に電極導電線である導電部材３が２本ずつ埋設されており、そしてこれらの対向する導電部材３、３の間は気体絶縁を担うコード空隙部４となっている。
【０００８】
このコードスイッチ１は外傷防止、衝撃吸収、支持固定の役割を担うコードスイッチ用ゴムカバーの中に内包した形で使用するようになっている。
【０００９】
図４は従来のコードスイッチ用ゴムカバーを示した断面説明図である。
【００１０】
図４において５は従来のコードスイッチ用ゴムカバー、６はカバー絶縁体、７はコードスイッチ内包用空隙部である。
【００１１】
即ち、従来のコードスイッチ用ゴムカバー５は、外周にカバー絶縁体６があり、その断面中心部にコードスイッチ内包用空隙部７が開口してある。
【００１２】
ここにおいてカバー絶縁体６は耐候性、耐オゾン性が優れたゴム弾性体、例えばエチレンプロピレン系ゴム等である。
【００１３】
ところでゴム弾性体は純ゴムだけで使用することがなく、一般には加硫剤、加硫促進剤、可塑剤、滑剤、老化防止剤、充填剤、着色剤等が配合されている。
【００１４】
従ってコード絶縁体２及びカバー絶縁体６にもそれぞれ加硫剤、加硫促進剤、老化防止剤、滑剤、可塑剤、充填剤、着色剤等が配合されている。
【００１５】
【発明が解決しようとする課題】
コードスイッチ１をコードスイッチ用ゴムカバー５の中に内包した形で使用すると、コードスイッチ１の外周面はコードスイッチ用ゴムカバー５の内周面と密着することになる。このようにコードスイッチ１の外周面がコードスイッチ用ゴムカバー５の内周面と密着すると、コードスイッチ用ゴムカバー５の中に配合されている移行性成分、例えば可塑剤、滑剤、老化防止剤等がコードスイッチ１のコード絶縁体２内に移行し、更にそのコード絶縁体２内より導電部材３の表面へ移行したり、ブルームしたりすることになる。
【００１６】
このように導電部材３の表面へ可塑剤、滑剤、老化防止剤等が移行したり、ブルームしたりすると、導電部材３の表面に電気絶縁層が形成され、その結果導電部材３の体積抵抗が大きくなる。換言すれば導電部材２はその導電性が低下してしまう。それにより導電部材２は電気導通性がなくなり、その結果コードスイッチ１はスイッチがＯＮ状態となる押圧をかけても作動しないことになる。
【００１７】
そこでコードスイッチ用ゴムカバー５の中に配合されている可塑剤、滑剤、老化防止剤等の移行性成分がコードスイッチ１のコード絶縁体２内へ移行するのを阻止する方法としてコードスイッチ用ゴムカバー５とコードスイッチ１との間にバリア層を設ける方法が提案されている。
【００１８】
しかしこの方法ではコードスイッチ用ゴムカバー５とコードスイッチ１との間に異質材質から成るバリア層を設けることから、そのバリア層付きコードスイッチ用ゴムカバーの製造工程が複雑となり、その結果製造コストが高くなるという難点がある。更に、バリア層付きコードスイッチ用ゴムカバーを廃棄処分するときにも特別な対策をしなければならないという難点がある。
【００１９】
本発明はかかる点に立って為されたものであって、その目的とするところは前記した従来技術の欠点を解消し、ゴムカバーの内周面内にコードスイッチを内包させて成るスイッチ部材としたときに、そのゴムカバーのゴム混和物内に配合されている可塑剤、滑剤、老化防止剤等の移行性成分をコードスイッチ側へ移行する量を顕著に低減でき、それによりコードスイッチの導電部材の導通抵抗値の上昇を効果的に抑止でき、その結果ゴムカバーの内周面内にコードスイッチを内包させて成るスイッチ部材としたときにおけるコードスイッチ機能を高信頼性で発揮させることができるゴムカバー及びスイッチ部材を提供することにある。
【００２０】
【課題を解決するための手段】
本発明の要旨とするところは、次の２点にある。
【００２１】
所定長さの中空絶縁体と、該中空絶縁体の内周面に固着された複数本の導電部材とから成るコードスイッチを内包することができる所定長さの円筒状のゴムカバーにおいて、該ゴムカバーの内周面にはその円周方向に沿って所定間隔をおいて前記コードスイッチの外周面を部分支持できる複数の突起が設けられ、該突起と前記ゴムカバー内に内包されるコードスイッチとの接触面積の合計が該コードスイッチの外周面積の０．５〜２０％であることを特徴とするゴムカバー。
【００２２】
所定長さの中空絶縁体と、該中空絶縁体の内周面に固着された複数本の導電部材とから成るコードスイッチを内包することができる所定長さの円筒状のゴムカバーにおいて、該ゴムカバーの内周面にはその円周方向に沿って所定間隔をおいて複数の突起が設けられ、該突起が前記コードスイッチの外周面を部分支持することを特徴とするスイッチ部材。
【００２３】
【発明の実施の形態】
次に、本発明のゴムカバー及びスイッチ部材の実施の形態について説明する。
【００２４】
本発明において突起としては半球突起、四角状突起、角錐状突起、円柱状突起の中から選ばれた１種であることが好ましい。
【００２５】
また、本発明において突起は、長手方向に沿って直線状若しくは螺旋状に設けられたものであることが好ましい。
【００２６】
更に、本発明においてゴムカバーの複数の突起の先端面積の合計は、コードスイッチの外周面積の１〜１０％であることがより好ましい。
【００２７】
ここにおいてゴムカバーの複数の突起の先端面積の合計をコードスイッチの外周面積の０．５〜２０％としたのは、０．５以下では製造技術上難しく且つコードスイッチの支持力が低下し、しかもコードスイッチ機能の感度が急激に低下するためである。逆に、２０％以上ではコードスイッチとの接触面積が大きくなり、その結果ゴムカバーのゴム混和物内に配合されている可塑剤、滑剤、老化防止剤等の移行性成分がコードスイッチ側へ大きく移行してしまうためである。
【００２８】
ここにおいて複数の突起の先端面積の合計はコードスイッチの外周面との接触面積のことである。このゴムカバーの接触面積の測定は、まずこのゴムカバーを裂き、次にその内面を仰向けに平面上に広げ、次にその上に平坦な鉄板を置き、次にその上に３００ｇ／cm2 の圧力がかかるように重りを乗せた時のゴムカバーと鉄板との間の接触面積として求められる。
【００２９】
なお、本発明のスイッチ部材において、構成する一方側のコードスイッチの外周側に突起を設けることもできる。
【００３０】
【実施例】
次に、本発明のゴムカバー及びスイッチ部材の実施例及び従来の比較例について説明する。
【００３１】
（実施例１）
まず、ゴム弾性体としていエチレンプロピレン系ゴムに所定量の加硫剤、加硫促進剤、充填剤を配合し、更に滑剤としてパラフィン系オイルを２０重量％配合したエチレンプロピレン系ゴム混和物を用意した。
【００３２】
次に、そのエチレンプロピレン系ゴム混和物を用いて内面側に半球突起箇所が７箇所有する未加硫ゴムカバーを成形した。
【００３３】
次に、その未加硫ゴムカバーを１６０℃で３０分加熱して加硫することにより実施例１のゴムカバーを得た。
【００３４】
図１はかくして得られた本発明の実施例１のゴムカバーを示した断面説明図である。
【００３５】
図１において１０は実施例１のゴムカバー、１１は内面側半球突起箇所付ゴム絶縁体、１２は半球突起、１３は半球突起箇所接触型空隙部である。
【００３６】
（実施例２）
まず、ゴム弾性体としていエチレンプロピレン系ゴムに所定量の加硫剤、加硫促進剤、充填剤を配合し、更に滑剤としてパラフィン系オイルを２０重量％配合したエチレンプロピレン系ゴム混和物を用意した。
【００３７】
次に、そのエチレンプロピレン系ゴム混和物を用いて内面側に柱状突起箇所が４箇所有する未加硫ゴムカバーを成形した。
【００３８】
次に、その未加硫ゴムカバーを１６０℃で３０分加熱して加硫することにより実施例２のゴムカバーを得た。
【００３９】
図２はかくして得られた本発明の実施例２のゴムカバーを示した断面説明図である。
【００４０】
図２において２０は実施例２のゴムカバー、２１は内面側四角状突起付ゴム絶縁体、２２は四角状突起、２３は四角状突起箇所接触型空隙部である。
【００４１】
（比較例１）
まず、ゴム弾性体としていエチレンプロピレン系ゴムに所定量の加硫剤、加硫促進剤、充填剤を配合し、更に滑剤としてパラフィン系オイルを２０重量％配合したエチレンプロピレン系ゴム混和物を用意した。
【００４２】
次に、そのエチレンプロピレン系ゴム混和物を用いて図４に示すような未加硫コードスイッチ用ゴムカバーを成形した。
【００４３】
次に、その未加硫コードスイッチ用ゴムカバーを１６０℃で３０分加熱して加硫することにより比較例１のコードスイッチ用ゴムカバーを得た。
【００４４】
（試験方法）
まず、図３に示すコードスイッチを用意した。
【００４５】
次に、この図３に示すコードスイッチを実施例１のゴムカバー、実施例２のゴムカバー及び比較例１のコードスイッチ用ゴムカバー内にそれぞれ内包させた。
【００４６】
次に、実施例１のゴムカバー、実施例２のゴムカバー及び比較例１のコードスイッチ用ゴムカバー内にそれぞれコードスイッチを内包させて成るスイッチ部材の外周を潰れない程度に締め付けながら粘着テープを巻き付けた。これによりこれらのスイッチ部材のゴムカバーとコードスイッチとは密着した。
【００４７】
次に、先端がφ４mmの丸棒で２kgの荷重を押圧し、１０秒後の導電部材の初期導通抵抗値（Ω）を測定した。
【００４８】
次に、このようにゴムカバーとコードスイッチとを密着させたスイッチ部材を８０℃の恒温槽に１５００時間放置した。
【００４９】
次に、８０℃の恒温槽に１５００時間放置後、取り出し、８０℃、１５００時間放置後の導電部材の導通抵抗値（Ω）を測定した。
【００５０】
（試験結果）
表１はこれらの試験結果を示したものである。
【００５１】
【表１】
0004078768.tif 000002
【００５２】
表１より分かるように実施例１のゴムカバーは導通抵抗値の上昇が僅かであり、それによりコードスイッチを内包させて成る開閉装置用スイッチ部材としたときにはスイッチ機能を高信頼性で発揮した。
【００５３】
同様に、実施例２のゴムカバーは導通抵抗値の上昇も僅かであり、それによりコードスイッチを内包させて成る開閉装置用スイッチ部材としたときにはコードスイッチ機能を高信頼性で発揮した。
【００５４】
このように本発明の実施例１のゴムカバー及び実施例２のゴムカバーは導通抵抗値の上昇が僅かで、それによりコードスイッチを内包させて成る開閉装置用スイッチ部材としたときにはスイッチ機能を高信頼性で発揮することができる。これはゴムカバーの内周面に半球突起若しくは四角突起を設けたことにある。それにより本発明の実施例１のゴムカバー及び実施例２のゴムカバーはコードスイッチとの接触面積を低減でき、それにより可塑剤、滑剤、老化防止剤等の移行性成分の移行量を顕著に低減し、その結果導通抵抗値の上昇を効果的に抑止できるのである。
【００５５】
これに対して比較例１のコードスイッチ用ゴムカバーは導通抵抗値の上昇が著しく大きく、それによりコードスイッチを内包させたスイッチ部材としたときにはスイッチ機能の信頼性が著しく悪化した。
【００５６】
なお、ゴムカバーの複数の突起の先端面積の合計がコードスイッチの外周面積の０．５〜２０％の範囲の開閉装置用スイッチ部材、ゴムカバーの複数の突起の先端面積の合計がコードスイッチの外周面積の０．５以下の範囲の開閉装置用スイッチ部材、ゴムカバーの複数の突起の先端面積の合計がコードスイッチの外周面積の２０以上の範囲の開閉装置用スイッチ部材も製作した。
【００５７】
その結果本発明の範囲内の０．５〜２０％の範囲の開閉装置用スイッチ部材はスイッチ機能を高信頼性で発揮した。
【００５８】
これに対して本発明の範囲外の０．５以下の範囲の開閉装置用スイッチ部材及び２０％以上の範囲の開閉装置用スイッチ部材はいずれもスイッチ機能が悪かった。
【００５９】
【発明の効果】
本発明のゴムカバー内周面に突起を設けてあることからそのゴムカバーの内周面内にコードスイッチを内包させて成るスイッチ部材としたときには、そのゴムカバーのゴム混和物内に配合されている可塑剤、滑剤、老化防止剤等の移行性成分の移行量を顕著に低減でき、それによりコードスイッチの導電部材の導通抵抗値の上昇を効果的に抑止でき、その結果スイッチ部材のスイッチ機能を高信頼性で発揮させることができるものであり、工業上有用である。
【図面の簡単な説明】
【図１】本発明の実施例１のゴムカバーを示した断面説明図である。
【図２】本発明の実施例２のゴムカバーを示した断面説明図である。
【図３】コードスイッチを示した断面説明図である。
【図４】従来のコードスイッチ用ゴムカバーを示した断面説明図である。
【符号の説明】
１  コードスイッチ
２  コード絶縁体
３  導電部材
４  コード空隙部
５  従来のコードスイッチ用ゴムカバー
６  カバー絶縁体
７  コードスイッチ内包用空隙部
１０  実施例１のゴムカバー
１１  内面側半球突起箇所付ゴム絶縁体
１２  半球突起
１３  半球突起箇所接触型空隙部
２０  実施例２のゴムカバー
２１  内面側柱状突起箇所付ゴム絶縁体
２２  四角状突起
２３  四角状突起箇所接触型空隙部
【図１】
0004078768.tif 000003
【図２】
0004078768.tif 000004
【図３】
0004078768.tif 000005
【図４】
0004078768.tif 000006